(57)【要約】【課題】イベントや賃し会議室やカフェ等に利用でき、デザイン性に優れ、設置が容易で、解体したときは運搬して保管し、多くの部品が再利用できるような建造物にする。【解決手段】一個のユニット１２が、支柱１６と、垂直部２２および水平部２４を備えた逆Ｌ字状の壁材２０を備える。一個のユニット１２の支柱１６には、２枚の壁材２０が固定されている。２枚の壁材２０の両円弧２６の部分を塞ぐ扇状の仕切り板３２と、２枚の壁材２０の上部を塞ぐ略正三角形の天井板３４とを備える。柱要素と板要素に分解することができ、組み立て、分解、保管が容易である。また、逆Ｌ字状の壁材２０と扇状の仕切り板３２と天井板３４とで囲まれた空間は外部空間から遮断されるので、空調設備や電気配線などを閉じ込めることができ、建造物の美観を損なわない。さらに、建造物の有効空間を仕切る耐力壁が不要で、広く多用途に利用できる。【選択図】図１
2010281109.tif 000002
【特許請求の範囲】
【請求項１】
一個のユニットが、
床面に対して垂直に立てられる支柱と、
前記支柱に沿って固定される垂直部と前記支柱の頂部から水平方向に腕状に伸びる水平部を備えた逆Ｌ字状の壁材とを備え、
前記支柱には、前記床面からみたときに両水平部の挟む角が６０度となる２枚の壁材の前記垂直部が固定され、
前記壁材はいずれも、前記垂直部に沿う直線と前記水平部に沿う直線と前記支柱の頂部に向かって凸となる円弧により囲まれた壁板を備え、
前記垂直部の前記床面側の端を脚部と呼び、前記水平部の前記支柱の頂部と反対側の端を腕端と呼ぶとき、
前記２枚の壁材の両円弧と両水平部の腕端を結ぶ直線とに囲まれた部分を塞ぐ扇状の仕切り板と、
前記２枚の壁材の両水平部に沿う直線と両水平部の腕端を結ぶ直線とに囲まれた部分を塞ぐ略正三角形の天井板とを備えたことを特徴とする組立式建造物。
【請求項２】
請求項１に記載の組立式建造物において、
隣接するユニットが、境界部分の前記支柱と壁材とを共有するように、前記床面上に複数の前記ユニットを隙間なく規則的に配列したことを特徴とする組立式建造物。
【請求項３】
請求項１または２に記載の組立式建造物において、
前記支柱と前記壁体と前記仕切り板と前記天井板とを相互に着脱自在な連結具により連結固定したことを特徴とする組立式建造物。
【請求項４】
請求項１乃至３のいずれかに記載の組立式建造物において、
６個の前記ユニットを互いに隙間なく規則的に配列して、全体として床面からみたときに正６角形になるようにし、３本の支柱が、前記正６角形の６個の頂点のうちの３個の頂点であって、相互に点対称になる位置に配置されていることを特徴とする組立式建造物。
【請求項５】
請求項１乃至４のいずれかに記載の組立式建造物において、
前記壁材は、前記垂直部に沿う直線と前記水平部に沿う直線と前記円弧により囲まれた形状の２枚の壁板を平行にスペーサを挟んで隙間を空けて一体化したダブルリブ構造体であることを特徴とする組立式建造物。
【請求項６】
請求項１乃至５のいずれかに記載の組立式建造物において、
１階と同じ位置に２階以上の支柱を設置して積層したことを特徴とする組立式建造物。
【請求項７】
請求項１乃至６のいずれかに記載の組立式建造物において、
前記仕切り板を実質的に透明または半透明の構成にし、前記壁材と前記仕切り板と前記天井板とに囲まれた仕切り板の裏側の空間に、照明装置を配置したことを特徴とする組立式建造物。
【発明の詳細な説明】
【技術分野】
【０００１】
本発明は、店舗やイベント用の仮設建物等に適する組立式建造物に関する。
【背景技術】
【０００２】
土地価格の高価な都市部での遊休地はイベント等に一時利用することで有効活用が図れる。例えば、立地条件のよい駐車場の頭上空間に建造物を組み立てるような技術も紹介されている（特許文献１参照）。
【先行技術文献】
【特許文献】
【０００３】
【特許文献１】特許３３６６９８８号
【発明の概要】
【発明が解決しようとする課題】
【０００４】
空き空間には様々な形状のものがある。土地の形も様々である。こうした空き空間に簡単に施工できる仮設建物があれば土地の有効利用が図れる。その場合に、テントでは用途が制限される。堅牢で自由度の高い仮設建物のほうが望ましい。しかし、仮建築物はコストが高く、撤去時には解体をしなければならない。解体後、再使用できる資材と再利用できない物とに分類するが、再使用できない物は廃棄されるから、廃棄費用がかかり、大量の資源ゴミも発生する。
上記の課題を解決するために、本発明は、イベントや賃し会議室やカフェ等に利用でき、デザイン性に優れ、設置が容易で、解体したときは運搬して保管し、多くの部品が再利用できるような、組立式建造物を提供する。
【課題を解決するための手段】
【０００５】
以下の構成はそれぞれ上記の課題を解決するための手段である。
〈構成１〉
一個のユニットが、床面に対して垂直に立てられる支柱と、前記支柱に沿って固定される垂直部と前記支柱の頂部から水平方向に腕状に伸びる水平部を備えた逆Ｌ字状の壁材とを備え、前記支柱には、前記床面からみたときに両水平部の挟む角が６０度となる２枚の壁材の前記垂直部が固定され、前記壁材はいずれも、前記垂直部に沿う直線と前記水平部に沿う直線と前記支柱の頂部に向かって凸となる円弧により囲まれた壁板を備え、前記垂直部の前記床面側の端を脚部と呼び、前記水平部の前記支柱の頂部と反対側の端を腕端と呼ぶとき、前記２枚の壁材の両円弧と両水平部の腕端を結ぶ直線とに囲まれた部分を塞ぐ扇状の仕切り板と、前記２枚の壁材の両水平部に沿う直線と両水平部の腕端を結ぶ直線とに囲まれた部分を塞ぐ略正三角形の天井板とを備えたことを特徴とする組立式建造物。
【０００６】
〈構成２〉
構成１に記載の組立式建造物において、隣接するユニットが、境界部分の前記支柱と壁材とを共有するように、前記床面上に複数の前記ユニットを隙間なく規則的に配列したことを特徴とする組立式建造物。
【０００７】
〈構成３〉
構成１または２に記載の組立式建造物において、前記支柱と前記壁体と前記仕切り板と前記天井板とを相互に着脱自在な連結具により連結固定したことを特徴とする組立式建造物。
【０００８】
〈構成４〉
構成１乃至３のいずれかに記載の組立式建造物において、６個の前記ユニットを互いに隙間なく規則的に配列して、全体として床面からみたときに正６角形になるようにし、３本の支柱が、前記正６角形の６個の頂点のうちの３個の頂点であって、相互に点対称になる位置に配置されていることを特徴とする組立式建造物。
【０００９】
〈構成５〉
構成１乃至４のいずれかに記載の組立式建造物において、前記壁材は、前記垂直部に沿う直線と前記水平部に沿う直線と前記円弧により囲まれた形状の２枚の壁板を平行にスペーサを挟んで隙間を空けて一体化したダブルリブ構造体であることを特徴とする組立式建造物。
【００１０】
〈構成６〉
構成１乃至５のいずれかに記載の組立式建造物において、１階と同じ位置に２階以上の支柱を設置して積層したことを特徴とする組立式建造物。
【００１１】
〈構成７〉
構成１乃至６のいずれかに記載の組立式建造物において、前記仕切り板を実質的に透明または半透明の構成にし、前記壁材と前記仕切り板と前記天井板とに囲まれた仕切り板の裏側の空間に、照明装置を配置したことを特徴とする組立式建造物。
【発明の効果】
【００１２】
〈構成１の効果〉
（１）天井が正三角形で一本の垂直の稜を持つ角錐体をひとつのユニットとして組み合わせるので堅牢である。
（２）逆Ｌ字状の壁材と扇状の仕切り板とで、床上にデザイン性の優れた空間が形成される。
（３）逆Ｌ字状の壁材と扇状の仕切り板と天井板とで囲まれた空間は外部空間から遮断されるので、空調設備や電気配線などを閉じ込めることができ、建造物の美観を損なわない。
（４）建造物の有効空間を仕切る耐力壁が不要で、広く多用途に利用できる。
（５）一個のユニットが、床面から見て正三角形なので、３方向に自由に拡張でき、土地の形に合わせた設定ができる。
（６）ユニット単位で自由に解体できるので、必要に応じた最適な規模の建造物を提供できる。
〈構成２の効果〉
複数のユニットを一組の支柱と壁材とを共有するように隙間なく配列すると、いわゆるハニカム構造となり、最小限の支柱で高い強度の建造物ができる。
〈構成３の効果〉
各部品を着脱自在な連結具により連結固定すると、柱要素と板要素のみに分解することができる。従って、そのまま運搬し保管することが容易になる。
〈構成４の効果〉
床面から見て正６角形の構造体を複数連結したハニカム構造の建造物を自由に建設でき、十分な強度を持たせ、土地の形状に応じて６方向に拡張できる。
〈構成５の効果〉
２枚の壁板を平行に隙間を空けて一体化することにより、壁板の強度が向上し、支柱への取付けや仕切り板、天井板との接続が容易になる。
〈構成６の効果〉
支柱の位置を１階から上階まで同一位置に配置すると、構造上十分な強度の積層構造を実現できる。
〈構成７の効果〉
仕切り板の裏側に照明装置を隠して配置し、仕切り板全体あるいはその一部に照明機能を付与することができる。
【図面の簡単な説明】
【００１３】
【図１】組立式建造物のユニット実施例を示す分解斜視図である。
【図２】（ａ）は壁材２０の正面図、（ｂ）は壁材２０の左側面図である。
【図３】天井板を除外したユニットの斜視図である。
【図４】組立式建造物の各種構成例を示す概略平面図である。
【図５】階層構造を実現する組立式建造物の分解斜視図である。
【図６】ユニット間の連結構造を示し（ａ）は連結部分の縦断面図（ｂ）は横断面図である。
【図７】支柱の床下部分の縦断面図である。
【図８】ユニットを利用した建造物の例を示す平面図である。
【図９】２階建ての建造物の例を示す斜視図である。
【発明を実施するための形態】
【００１４】
本発明では、柱要素と板要素だけで簡単に組み立てられるユニットを単位として、自由な設計の建造物を提供する。建造物を支柱だけで支えるようにし、１本足のテーブルに似た構造のユニットを組み合わせる。仮設建物に最適であり、恒久的な建物にも利用できる。以下、本発明の実施の形態を実施例毎に詳細に説明する。
【実施例１】
【００１５】
図１は実施例１の組立式建造物のユニットを示す分解斜視図である。
図のユニット１２は、支柱１６と壁材２０と仕切り板３２と天井板３４と前板３６とを備えている。このユニット１２は、床面１４に対して垂直に立てられる一本の支柱１６により支えられる。支柱１６は、例えば鋼管等により構成される。この支柱１６に固定される壁材２０は、図のように逆Ｌ字状の形状をしている。即ち、壁材２０は、支柱１６に沿って固定される垂直部２２と、支柱１６の頂部から水平方向に腕状に伸びる水平部２４とを備えた形状をしている。
【００１６】
１個分のユニット１２の支柱１６には、２枚の壁材２０が固定される。支柱１６には、リブ１８が、その頂部と下端部とに溶接等により固定されている。リブ１８には、２枚の壁材２０の両水平部２４の挟む角が６０度となるように、両者の垂直部２２をボルト締め等により固定する。ここで、他の部品の説明の前に、壁材２０の構造を図２を用いて説明する。
【００１７】
図２は壁材の説明図で、（ａ）は正面図、（ｂ）は左側面図である。
図のように、壁材２０は、２枚の壁板３０をスペーサ３１を挟んで平行に隙間を空けて一体化したダブルリブ構造をしている。壁板３０は、垂直部２２に沿う直線と水平部２４に沿う直線と右上のコーナー（図１の支柱１６の頂部方向）に向かって凸となる円弧２６により囲まれた形状をしている。
【００１８】
壁板３０には、合板やファイバ強化プラスチック、鋼板等の設計荷重に耐える強度を持つ板材を使用する。スペーサ３１は、２枚の壁板３０をボルト締めにより連結したり、仕切り板３２（図１）や天井板３４（図１）等をボルト締めにより固定するためのボルト孔を有する。スペーサ３１には鋼鉄製の骨材等を使用することが好ましい。２枚の壁板３０に挟まれ、スペーサ３１により形成された隙間には、必要に応じて図示しない間仕切りや窓を固定するための枠を嵌め込むことができる。また、壁板３０の円弧２６に沿って配置されたスペーサ３１が窓枠を兼ねてもよい。
【００１９】
このように、２枚の壁板３０をスペーサ３１を使用して隙間を空けて一体化すると、軽量で高い強度の壁材２０を構成できる。さらに、支柱１６のリブ１８を２枚の壁板３０の隙間に挿入してボルト締めをすれば、支柱１６との接続が容易になる。また、スペーサ３１を利用して、仕切り板３２や天井板３４とのボルト締め接続が容易になる。従って、組立や分解が迅速にできる構造が実現する。もちろん、上記の隙間を利用して、壁体内にスイッチやコンセント用の電気配線を埋め込めば、仮設建物であっても、配線が一切見えない美観の優れた構造が実現できる。なお、以下の説明のために、図２において、壁材２０の水平部２４の左端（図１の支柱１６の頂部と反対側の端）を腕端２と呼び、垂直部２２の床面側の端を脚部２９と呼ぶことにする。
【００２０】
再び図１に戻って、仕切り板３２は、２枚の壁材２０の両円弧２６と両水平部２４の腕端２８を結ぶ直線とに囲まれた部分を塞ぐ扇状の形状をしている。図の実施例では、仕切り板３２は、多数の格子板材を組み合わせて構成されている。例えば、短冊状のプラスチックやスチール板を配列して、仕切り板３２をルーバー状に構成するとよい。また、例えば仕切り板３２に半透明の板材を使用する等により、実質的に透明または半透明の構成にするとよい。これにより、後で説明する外部から見えない仕切り板３２の裏側の空間３３に照明器具を配置して、仕切り板３２の全部または一部に照明機能を付与することができる。
【００２１】
２枚の壁材２０の両水平部２４に沿う直線と両水平部２４の腕端２８を結ぶ直線とに囲まれた部分には、これを塞ぐように、略正三角形の天井板３４が設けられている。天井板３４には、波状にプレス加工された鋼板等を使用する。また、壁材２０の両水平部２４の腕端２８には、補強のために、前板３６が連結固定されている。前板３６は、鋼板や軽量鉄骨等により構成するとよい。なお、２階以上の階を持つ階層構造の場合には、天井板３４が上階の床板を兼ねる構造であってよい。また、２階以上の階を持つ場合に、支柱１６は図の２倍の長さの連続した通し柱構造のものであってもよい。また、天井板３４は、隣接するユニットのものと連続していてもよい。
【００２２】
図３は、天井板を除外したユニットの斜視図である。
図のように、このユニットは、１本の支柱１６により支えられ、２枚の逆Ｌ字状の壁材２０と、仕切り板３２と、天井板３４（図１）とで囲まれたブロック形状をしている。これは、天井が正三角形で一本の垂直の稜を持つ角錐体である。垂直の稜が支柱１６で床面に三角錐の頂点がある。このユニットを組み合わせることにより、高い強度の建造物を建築できる。耐力壁は不要である。また、各部材をボルト締め等により着脱自在に連結する構造を採用することで、全体を柱要素と板要素のみで構成できる。これらを分解すると、運搬も容易になり省スペースで保管できる。しかも、分解したときの廃棄物がほとんど出ないので、環境を破壊しない効果がある。
【００２３】
さらに、後で説明する図９等を見てわかるように、全体として非常にデザイン性の優れた建造物になる。また、逆Ｌ字状の壁材２０と扇状の仕切り板３２と天井板３４（図１）とで囲まれた空間３３は外部空間から遮断される。従って、図３に示すように、この空間３３に空調設備５１や照明設備５２、音響設備５３等を収容することができる。これらの設備を壁材２０に固定する場合にも、ボルト締め等により簡単に着脱できる構造を採用できる。もちろん、電気配線もこの空間３３に閉じ込めることができ、建造物の美観を損なわない。
【００２４】
上記の構成のユニットを使用した建造物は、分解をしてパーツを倉庫に保管しておく。注文があれば、その設計に合わせて必要数だけ部材を現場に運搬して組み立てる。通常の仮設建物は、完成までの工期が６ヶ月ほどかかる。しかし、上記の実施例のユニットを使用した同じ規模の建造物は２ヶ月程度で工事が終了する。また、資材を含めて材料費が３０００万円程度かかる仮設建物を、毎回数百万円の費用で新設、移設、解体ができる。資材はほとんど何度も再利用できるから、建造物の利用コストを十分に低く抑えることができる。
【実施例２】
【００２５】
図４は組立式建造物の各種構成例を示す概略平面図である。
図では、ユニット１２の平面図を正三角形で示し、支柱１６を黒丸で示して、それ以外の部材の表示を省略した。太い実線の部分は壁材２０、破線の部分は前板３６が存在する位置を示す。図において、（ａ）は１個のユニット１２の平面図である。１本の支柱１６により支持されている。図の（ｂ）ではこの１本の支柱１６の両側に左右対称に一対のユニット１２を配置した。（ａ）と（ｂ）のいずれも、支柱１６の強度を十分に設計すれば、小規模な建造物として実用できる。図の（ｃ）は２個のユニット１２の前板側を連結し、２本の支柱１６を両側に配置したものである。これは、（ｂ）に比べて高い強度が確保できる。
【００２６】
図の（ｄ）には、１本の支柱１６の全周に合計６個のユニット１２を配置した例を示した。隣接するユニット１２が、その境界部分で支柱１６と壁材２０とを共有するように、床面１４上に複数のユニット１２を隙間なく規則的に配列したものである。よく知られた一脚の丸テーブルや一脚の倚子と同様の構造をしている。また、図の（ｅ）に示した建造物は、平面図では同じ正６角形の構造をしているが、正６角形の６個の頂点のうちの３個の頂点に相当する位置に支柱１６が配置されている。各支柱１６は、相互に点対称になる位置に配置されている。
【００２７】
図の（ｅ）の構造では、３本の支柱でバランス良く全体を支えており、十分な強度を持たせることができる。このように、平面図でみたときに正６角形になる６個のユニットを６角形のユニット群３８と呼ぶことにする。この６角形のユニット群３８を一単位として、ユニット群３８を互いに隙間なく配列すると、図の（ｆ）や（ｇ）に示すように、いわゆるハニカム構造となり、最小限の支柱１６で高い強度の建造物ができる。また、これらの図からわかるように、正三角形の辺のいずれの方向にも別のユニットを配列することにより自由に拡張変更ができる。勿論、必要に応じて取り外しもできる。
【実施例３】
【００２８】
図５は階層構造を実現する組立式建造物の分解斜視図である。
図は２階建ての組立式建造物の例で、通し柱として２本の支柱１６を連結する。即ち、支柱１６の位置を１階から上階まで同一位置に配置する。１階の支柱１６はプレキャストコンクリート４６により支持固定されている。１階の天井板は２階の床板５５を兼ねている。また、２階の天井板３４の上には屋根板５７が取り付けられる。屋根板５７には。硬質イソシアヌレートボード等を使用するとよい。
【００２９】
さらに全てのユニットの前板３６には、窓板５９が嵌め込まれる。前板３６に窓板５９の上縁を嵌め込む溝（図示しない）を設けたり、窓板５９の上縁をボルト締めできる構造にしておけばよい。窓板５９の下縁は床板５５にボルト締め等により固定される。窓板５９は例えば、網入りガラスやポリカーボネート等により構成するとよい。窓板５９の部分を間仕切りにして、図３の（ｇ）に示したように別のユニットを連結することもできる。
【００３０】
図６は、ユニット間の連結構造を示し、（ａ）は連結部分の縦断面図、（ｂ）は横断面図である。（ａ）は（ｂ）のＡ−Ａ断面図、（ｂ）は（ａ）のＢ−Ｂ断面図である。これらの図は、図４（ｅ）の６角形の中心部分のユニット連結状態を示す。
図において、壁材の腕端２８の上面には、天井板３４と屋根板５７とが固定されている。天井板３４は壁材の腕端２８に設けたスペーサ３１にボルト締め固定される。屋根板５７は前板３６の裏面に固定されたフレーム３５にボルト締め固定される。前板３６は壁材の腕端２８に設けたスペーサ３１にボルト締め固定される。
【００３１】
図の（ｂ）に示すように、６個のユニットによる互いに１２０度間隔で並んだ３枚の壁材２０が一箇所で連結される。このために、３方向に腕を伸ばした結合部材４０が使用される。結合部材４０は軽量鉄骨等により構成される。結合部材４０の各腕には、この部分に集まる合計６枚の前板３６がボルト締め固定されている。この実施例では、前板３６は隣接するユニット間で共有されない。また各前板３６の両端の折曲部分には、３枚の壁材２０による合計６枚の壁板３０の腕端２８が、ボルト締め固定されている。こうした連結構造は任意の構成を採用できる、この連結方法によって、後で図９を用いて説明するように仕切り板３の直下にドーム状の利用可能なスペースができる。
【００３２】
図７は支柱の床下部分の縦断面図である。
支柱１６の固定方法も任意である。図の例では、支柱１６の下端は例えばアスファルト４２中に埋設される。アスファルト４２中には、上から順に、モルタル４４、プレキャストコンクリート４６、レベルコンクリート４７および砕石４８等が埋設されている。このようにして支柱１６の基礎を固めて十分な支持強度を得る。もちろん、建造物の設置場所によって床面や地面の構造が異なる。従って、その状況に応じて最適でかつ十分な強度の支柱１６固定構造を採用するとよい。
【実施例４】
【００３３】
図８は上記のユニットを利用した建造物の例を示す平面図である。また、図９は２階建ての建造物の例を示す斜視図である。
図８において、いずれも、駐車場に２階建ての建造物を建設して、駐車場の上部空間を有効利用しようとしている。図の（ａ）に示すように、例えば、図３の（ｅ）に示した構造のユニット群３８を２階建てで建設する。乗用車２台分の駐車場を確保したまま、階段６１を利用して、その上に、例えば、カフェ等を出店できる。
【００３４】
図８の（ｂ）では、図３の（ｃ）に示した構造のユニット群３８を並べて、さらに２個のユニット１２を追加している。このように、一個のユニット１２が床面１４から見て正三角形なので、自由に自由な方向に拡張でき、土地の形に合わせた無駄のない建造物を建設できる。さらに、図８（ｃ）に示す建造物は、図９の斜視図に示すように、ドーム状の壁に囲まれたデザイン性に優れたスペース６２を作り出している。建造物の有効空間を仕切る耐力壁が不要で、広く多用途に利用できる。一階に広い駐車場を確保したまま、垂直方向に積層して、土地の有効利用を図る。土地の形状に応じて平面的にも６方向のどの方向へでも拡張できる。ユニット単位で自由に追加したり解体したりできるので、必要に応じた最適な規模の建造物を提供できる。
【産業上の利用可能性】
【００３５】
上記の建造物は、駐車場の上方空き空間や有休空き地、公園等に設置して、イベントや賃し会議室等に広く利用できる、さらに、イベント等のための仮設建物だけでなく、数年間にわたって継続的に運用できる、所定の建築基準を満足する建物としても十分に利用できる。
【符号の説明】
【００３６】
１０  組立式建物
１２  ユニット
１４  床面
１６  支柱
１８  リブ
２０  壁材
２２  垂直部
２４  水平部
２６  円弧
２８  腕端
２９  脚部
３０  壁板
３１  スペーサ
３２  仕切り板
３３  空間
３４  天井板
３５  フレーム
３６  前板
３８  ６角形のユニット群
４０  結合部材
４２  アスファルト
４４  モルタル
４６  プレキャストコンクリート
４８  砕石
５１  空調設備
５２  照明設備
５３  音響設備
５５  床板
５７  屋根板
５９  窓板
６１  階段
６２  スペース
【図１】
2010281109.tif 000003
【図２】
2010281109.tif 000004
【図３】
2010281109.tif 000005
【図４】
2010281109.tif 000006
【図５】
2010281109.tif 000007
【図６】
2010281109.tif 000008
【図７】
2010281109.tif 000009
【図８】
2010281109.tif 000010
【図９】
2010281109.tif 000011